(57)【要約】【課題】表示部材を周方向へ長くすることなく、冷温表示と商品価格との組合せを複数表示すること。【解決手段】商品選択釦２３を介して商品の選択を行うようにした自動販売機に適用する自動販売機の商品情報表示装置において、商品の冷温状態情報である冷表示部３２ａと温表示部３２ｂとを有し、商品選択釦２３に対応する前面保持部３４のスリット形成板３４ｃに対して冷表示部３２ａおよび温表示部３２ｂを択一的に配置させるべく移動可能に配設した冷温表示部材３２と、商品の価格情報である価格表示部３１ａを複数種類有し、冷温表示部材３２の価格表示透過部３２ｃに対して価格表示部３１ａを択一的に配置させるべく移動可能に配設した価格表示部材３１とを備えている。【選択図】        図１
2008282107.tif 000002
【特許請求の範囲】
【請求項１】
商品選択手段を介して商品の選択を行うようにした自動販売機に適用する自動販売機の商品情報表示装置において、
商品に関する第１の情報を複数種類有し、商品選択手段に対応する第１の表示領域に対して前記第１の情報を択一的に配置させるべく移動可能に配設した第１の表示部材と、
商品に関する第２の情報を複数種類有し、商品選択手段に対応する第２の表示領域に対して前記第２の情報を択一的に配置させるべく移動可能に配設した第２の表示部材と
を備えたことを特徴とする自動販売機の商品情報表示装置。
【請求項２】
前記第１の表示部材は、周方向の複数箇所にそれぞれ前記第１の情報を有したリング状の部材であり、
前記第２の表示部材は、周方向の複数箇所にそれぞれ前記第２の情報を有したリング状の部材であること
を特徴とする請求項１に記載の自動販売機の商品情報表示装置。
【請求項３】
前記第１の表示部材は、前記第２の表示部材に表示された第２の情報を外周面から唯一透過視認させる大きさの透過部を有し、かつ前記第２の表示部材の外周面を囲繞する態様で配設したものであることを特徴とする請求項２に記載の自動販売機の商品情報表示装置。
【発明の詳細な説明】
【技術分野】
【０００１】
本発明は、自動販売機の商品情報表示装置に関するものである。
【背景技術】
【０００２】
従来、自動販売機の商品情報表示装置は、たとえば、図１３に示すように、リング状の表示部材２を備えている。表示部材２には、冷表示部２ａと温表示部２ｂとの間に価格表示部２ｃが設けられている。この自動販売機の商品情報表示装置１では、商品情報として、透過窓３ｂから「￥１２０」という商品価格に対して「ＨＯＴ」もしくは「ＣＯＬＤ」という冷温表示を択一的に表示することができる。したがって、表示部材２を周方向へ移動させれば、商品情報を切替えることが可能である（例えば、特許文献１参照）。
【０００３】
【特許文献１】特開２００１−１２６１２８号公報
【発明の開示】
【発明が解決しようとする課題】
【０００４】
しかしながら、従来の自動販売機の商品情報表示装置１では、商品価格を変更しようとした場合、新たな価格表示部２ｃを設けると共に、この価格表示部２ｃの隣にその冷温状態を表示するための冷表示部２ａおよび温表示部２ｂを設けなければならない。したがって、表示部材２が周方向へ長くなり、配置スペースが増大するなどの問題があった。
【０００５】
本発明は、上記実情に鑑みて、表示部材を周方向へ長くすることなく、冷温表示と商品価格との組合せを複数表示することのできる自動販売機の商品情報表示装置を提供することを目的とする。
【課題を解決するための手段】
【０００６】
上記の目的を達成するために、本発明の請求項１に係る自動販売機の商品情報表示装置は、商品選択手段を介して商品の選択を行うようにした自動販売機に適用する自動販売機の商品情報表示装置において、商品に関する第１の情報を複数種類有し、商品選択手段に対応する第１の表示領域に対して前記第１の情報を択一的に配置させるべく移動可能に配設した第１の表示部材と、商品に関する第２の情報を複数種類有し、商品選択手段に対応する第２の表示領域に対して前記第２の情報を択一的に配置させるべく移動可能に配設した第２の表示部材とを備えたことを特徴とする。
【０００７】
また、本発明の請求項２に係る自動販売機の商品情報表示装置は、上記請求項１において、前記第１の表示部材は、周方向の複数箇所にそれぞれ前記第１の情報を有したリング状の部材であり、前記第２の表示部材は、周方向の複数箇所にそれぞれ前記第２の情報を有したリング状の部材であることを特徴とする。
【０００８】
また、本発明の請求項３に係る自動販売機の商品情報表示装置は、上記請求項２において、前記第１の表示部材は、前記第２の表示部材に表示された第２の情報を外周面から唯一透過視認させる大きさの透過部を有し、かつ前記第２の表示部材の外周面を囲繞する態様で配設したものであることを特徴とする。
【発明の効果】
【０００９】
本発明にかかる自動販売機の商品情報表示装置は、冷温状態を表示した第１の表示部材と複数の商品価格を表示した第２の表示部材とを個別に設けているため、表示部材を周方向へ長くしなくとも、冷温表示と商品価格との組合せが択一的に複数表示できるという効果を奏する。
【発明を実施するための最良の形態】
【００１０】
以下に添付図面を参照して、本発明にかかる自動販売機の商品情報表示装置の好適な実施の形態を詳細に説明する。
【００１１】
図１は、本発明の実施の形態である自動販売機の商品情報表示装置を示す正面図、図２は、図１に示した商品情報表示装置を適用した自動販売機の外観斜視図、図３は、図１に示した商品情報表示装置を後方側から見た斜視図、図４は、図１に示した商品情報表示装置の分解斜視図、図５は、図１に示した商品情報表示装置に適用する価格表示部材を示す斜視図、図６は、図１に示した商品情報表示装置に適用する冷温表示部材を示す斜視図である。図７は、図１に示した商品情報表示装置に適用する商品情報表示台を示す斜視図である。図８は、図１に示した商品情報表示装置における冷温表示部材および価格表示部材の商品情報表示台への配設過程を示す斜視図である。図１０は、図１に示した商品情報表示装置における商品情報表示台の前面パネルに対する配設過程を示す側面図である。
【００１２】
ここで例示する自動販売機は、たとえば、入金が行われた場合に缶入り飲料やペットボトル入り飲料などの容器入り飲料を商品として販売するものであり、図２に示すように、自動販売機本体として本体キャビネット１０および前面扉１１を備えている。前面扉１１には、硬貨投入口１２、紙幣挿通口１３、一体表示器１４、硬貨返却レバー１５、硬貨返却口１６、商品取出口１７が設けてある。
【００１３】
さらに、前面扉１１には、その前面上方へ展示スペース２０が設けてある。展示スペース２０は、開口２０ａが矩形状となるように設けた窪み領域である。この展示スペース２０には、開口２０ａを閉塞する態様で前面パネル２１が設けてある。
【００１４】
前面パネル２１は、アクリル樹脂などの比較的透明度の高い合成樹脂材料を成型した板材である。本実施の形態では、矩形状を成す正面部２１ａと、正面部２１ａの左右両側縁部からそれぞれ外方に向けて僅かに前方に傾斜する態様で延在する左側面部２１ｂおよび右側面部２１ｃを有した前面パネル２１を適用している。
【００１５】
また、前面パネル２１の後面には、複数の商品銘板２２と複数の商品選択釦２３と複数の商品情報表示装置３０とが設けてある。商品銘板２２は、商品の外観などが表示されている矩形状の板材であり、前面パネル２１の上下方向および左右方向へ複数配設してある。なお、商品銘板２２は、材質として光透過性を有するものが望ましい。
【００１６】
商品選択釦２３は、利用者が商品銘板２２に表示されている商品を選択するための商品選択手段であり、各商品銘板２２に対してそれぞれの正面向かって下方右側に位置する部位に個別に配設してある。商品選択釦２３は、図４に示すように、基部２４と、基部２４の一方の端部に設けた操作部２５とを有している。基部２４は、周面部２４ａおよび端面部２４ｃから形成される円柱形状であり、その周面部２４ａに一対の弾性爪部２４ｂを有している。弾性爪部２４ｂは、端面部２４ｃ側から操作部２５側へ向けて漸次外方に傾斜する形状を成している。操作部２５は、図１０に示すように、基部２４よりも大きな外径を有した球面状を成している。図３からも明らかなように、商品選択釦２３には、検出スイッチ２６が設けてある。検出スイッチ２６は、商品選択釦２３が押圧された時に、電気信号を自動販売機の制御部（図示せず）へ出力するものである。この検出スイッチ２６には、電気的な配線であるスイッチ配線２７が接続してある。
【００１７】
商品情報表示装置３０は、たとえば、商品銘板２２に表示されている商品の冷温状態や商品価格などの情報を表示するものであり、図１に示すように、各商品銘板２２の下方となる部位に個別に配設してある。
【００１８】
商品情報表示装置３０は、価格表示部材（第２の表示部材）３１と冷温表示部材（第１の表示部材）３２と商品情報表示台３３とを備えて構成してある。図１および図５に示す価格表示部材３１は、可撓性を有するリング状の部材である。この価格表示部材３１には、周方向の複数個所にそれぞれ所定のピッチで価格表示部３１ａ（第２の情報）が設けてある。価格表示部３１ａは、たとえば、「￥１２０」のように商品の価格を表示するための黒色文字が表示してある。図１および図６に示す冷温表示部材３２は、可撓性を有するリング状の部材である。この冷温表示部材３２は、価格表示部材３１の外周面を囲繞する態様で配設されるもので、冷表示部３２ａ（第１の情報）と温表示部３２ｂ（第１の情報）と価格表示透過部３２ｃとを有している。冷表示部３２ａは、冷温表示部材３２における周方向の一部に冷状態を表示した部分であり、たとえば、青色に着色された背景に冷温状態を意味する「つめた〜い」の黒色文字が表示してある。温表示部３２ｂは、冷温表示部材３２における周方向の一部に温状態を表示した部分であり、たとえば、赤色に着色された背景に加温状態を意味する「あったか〜い」の黒色文字が表示してある。冷表示部３２ａおよび温表示部３２ｂの冷温表示部材３２における周方向の長さは、価格表示部材３１において価格表示部３１ａを設けたピッチと同じに形成してある。価格表示透過部３２ｃは、冷表示部３２ａおよび温表示部３２ｂの一部に設けた矩形状の無色透明な領域である。この価格表示透過部３２ｃは、価格表示部材３１に設けた価格表示部３１ａを外周面から唯一透過視認させるだけの大きさを有して形成してある。
【００１９】
図１、図４、図７、図１０に示すように、商品情報表示台３３は、前面パネル２１と平行に形成してある前面保持部（表示領域）３４と、前面保持部３４の上端から後方へ延在した上方保持部３５と、前面保持部３４の下端から後方へ延在した下方保持部３６とを備えて構成してある。商品情報表示台３３には、商品選択釦孔３４ａ、スリット形成開口３４ｂ、スリット形成板３４ｃが設けてある。商品選択釦孔３４ａは、商品選択釦２３の基部２４を嵌合することのできる大きさに形成した孔であり、前面保持部３４の正面向かって右側に形成してある。スリット形成開口３４ｂは、矩形状の開口であり、前面保持部３４から上方保持部３５へ亘るように形成してある。このスリット形成開口３４ｂの左右方向の長さは、冷表示部３２ａもしくは温表示部３２ｂのいずれか一方を表示できる長さに形成してある。スリット形成板３４ｃは、前面保持部３４に対してスリット形成開口３４ｂをほぼ閉塞する形態で設けた板状部分である。このスリット形成板３４ｃは、上端が後方へ屈曲しており、上下方向の長さが、冷温表示部材３２における上下方向の幅とほぼ同じに形成してある。すなわち、前面保持部３４に対してスリット形成開口３４ｂをほぼ閉塞する形態でスリット形成板３４ｃを設けることにより、左スリット３４ｄおよび右スリット３４ｅを形成している。なお、スリット形成板３４ｃは、材質として光透過性を有するものが望ましい。また、図中の符号３４ｆは、前面保持部３４において一方の側縁、例えば正面向かって右側となる縁部のほぼ中央後面から外方に向けて突出した連結部である。
【００２０】
上方保持部３５は、連結板保持部材３５ａと商品銘板押え保持部材３５ｂとを有している。連結板保持部材３５ａは、上方保持部３５の後端上面に接合され、後方へ延在する形態で形成してある部材である。この連結板保持部材３５ａの上下方向の厚みは、後述する連結板４１の結合部４１ａのコの字断面の幅とほぼ同じに形成してある。商品銘板押え保持部材３５ｂは、連結板保持部材３５ａの前端上面に接合され、上方垂直に突出した後、前方へほぼ直角に延在する形態で形成してある部材である。この商品銘板押え保持部材３５ｂの上方保持部３５の上面から上方垂直への突出量は、上方保持部３５と連結板保持部材３５ａおよび商品銘板押え保持部材３５ｂから形成されるコの字断面に、後述する商品銘板押え４２における支点部４２ｄの外径を収容可能に形成してある。
【００２１】
下方保持部３６は、表示部材保持部３６ａと複数のスリット形成板保持部材３６ｄとを有している。表示部材保持部３６ａは、前面保持部３４の下端から後方へほぼ直角に延在する形態で形成してある部分である。この表示部材保持部３６ａは、左右方向の両端に上方に向けて直角に延在する表示部材ガイド部３６ｂと、下面から下方へ突出した後、後方へほぼ直角に延在する商品選択釦配線保持部３６ｃとを形成してある。スリット形成板保持部材３６ｄは、スリット形成板３４ｃの後面下端と表示部材保持部３６ａの上面前端との間に介在する部分であり、互いを接合するような形態で形成してある。本実施の形態では、スリット形成板３４ｃの左右方向の両端に形成してある。
【００２２】
また、前面保持部３４と上方保持部３５とは、上方へ向けて開口する商品銘板保持溝３７を形成するように接合してある。
【００２３】
さらに、商品情報表示装置３０には、連結板４１と商品銘板押え４２とが設けてある。連結板４１は、結合部４１ａと複数の引掛部４１ｂとを有している。結合部４１ａは、商品情報表示台３３における上方保持部３５の連結板保持部材３５ａに、後方から嵌合可能なコの字断面を成すように形成してある。引掛部４１ｂは、結合部４１ａにおけるコの字断面の下面の一部が延在する形態で形成してあり、その先端部に上方へほぼ直角に延在した引掛爪部４１ｃが形成してある。この引掛部４１ｂは、商品情報表示台３３における上方保持部３５の連結板保持部材３５ａに、結合部４１ａに嵌合した状態で、左方向へ商品情報表示台３３における左右方向の長さ毎に形成してある。
【００２４】
商品銘板押え４２は、ベース部４２ａと支点部４２ｄと押え部４２ｅとを有している。ベース部４２ａは板状の部分であり、表示部材孔４２ｂと引掛孔４２ｃとを有している。表示部材孔４２ｂは、矩形状の孔であり、ベース部４２ａにおける左右方向の長さは、商品情報表示台３３における前面保持部３４のスリット形成開口３４ｂの左右方向の長さとほぼ同じ長さに形成してある。引掛孔４２ｃは、連結板４１における引掛部４１ｂの引掛爪部４１ｃが挿通可能な大きさに形成した孔である。支点部４２ｄは、ベース部４２ａの幅方向の一方の端部に形成してある円柱状の部分である。押え部４２ｅは、ベース部４２ａの幅方向の他方の端部に下方へほぼ垂直に屈曲した形態で形成してある部分である。
【００２５】
上述した商品情報表示装置を構成する場合には、まず、図８に示すように、価格表示部材３１における商品銘板２２に対応する表示したい価格表示部３１ａと、冷温表示部材３２における商品銘板２２に対応する表示したい冷表示部３２ａまたは温表示部３２ｂとを、同一方向に向けた状態で冷温表示部材３２を価格表示部材３１の外周を取り囲むように配置する。次に、この価格表示部材３１および冷温表示部材３２を、表示したい部分を商品情報表示台３３における前面保持部３４へ向けた状態で、前面保持部３４に形成した左スリット３４ｄおよび右スリット３４ｅに上方より挿入する。そして、この状態で、図９に示すように、価格表示部材３１および冷温表示部材３２を後方に移動させれば、価格表示部材３１および冷温表示部材３２を商品情報表示台３３に係止することができる。図９からも明らかなように、商品情報表示台３３におけるスリット形成板３４ｃは、前面保持部３４の前面より後方に設けているため、価格表示部材３１および冷温表示部材３２の外周面と前面保持部３４の前面とを同一面上に位置させることが可能である。
【００２６】
上記のように、冷温表示部材３２および価格表示部材３１を商品情報表示台３３に配設すると、商品情報表示台３３の前面から価格表示透過部３２ｃを介して価格表示部３１ａが目視可能となる。
【００２７】
しかも、本実施の形態における自動販売機の商品情報表示装置では、価格表示部材３１および冷温表示部材３２に可撓性を有する部材を採用しているため、左スリット３４ｄおよび右スリット３４ｅに適宜撓ませながら上方より挿入することができ、挿入作業の容易化を図ることができる。
【００２８】
図１０に示すように、商品情報表示台３３を自動販売機の前面パネル２１の後面へ配設する場合には、まず、前面パネル２１に形成された商品選択釦貫通用の孔（図示せず）と、商品情報表示台３３における前面保持部３４の商品選択釦孔３４ａとを、同軸上になる状態で商品情報表示台３３を前面パネル２１の後面に配設する。そして、この状態で商品選択釦２３を、端面部２４ｃを前面パネル２１に向けて前方よりを挿入すれば、商品選択釦２３のフランジ部２５ａと弾性爪部２４ｂとの間に前面パネル２１と商品情報表示台３３の前面保持部３４とを挟み固定することができる。
【００２９】
ここで、本実施の形態における自動販売機の商品情報表示装置では、価格表示部材３１および冷温表示部材３２に可撓性を有する部材を採用しているため、前面パネル２１に沿うよう撓むことができ、またその復元力によって周方向への移動が拘束されることになる。したがって、価格表示部材３１および冷温表示部材３２の表示を固定する際に、専用部品を設ける必要がない。
【００３０】
しかも、本実施の形態における自動販売機の商品情報表示装置では、商品情報表示台３３における下方保持部３６に商品選択釦配線保持部３６ｃを形成しているため、図３からも明らかなように、スイッチ配線２７を保持すると共に、他部品との干渉を防止することができる。
【００３１】
また、図１０に示すように、前述した商品銘板２２を商品情報表示台３３へ配設する場合には、まず、商品銘板２２を商品情報表示台３３に形成してある商品銘板保持溝３７に上方から挿入する。そして、この状態で商品銘板押え４２における押え部４２ｅを商品銘板２２に押し当て、かつ支点部４２ｄを商品情報表示台３３における上方保持部３５と連結板保持部材３５ａおよび商品銘板押え保持部材３５ｂから形成されるコの字断面に収容するように移動させれば、商品銘板２２を商品銘板押え４２で保持することができる。
【００３２】
図３に示すように、連結板４１における引掛爪部４１ｃを、それぞれの商品情報表示台３３における商品銘板押え４２の引掛孔４２ｃに当接させれば、複数の商品情報表示台３３を左右方向へ互いに連結することができる。この場合、図１１に示すように、一方の商品情報表示台３３における前面保持部３４の連結部３４ｆに、他方の商品情報表示台３３における前面保持部３４の左端部を当接させれば、２つの前面保持部３４の前面を同一面上に位置させることが容易となる。
【００３３】
図１２は、図１に示した商品情報表示装置の自動販売機への配置を示す側面図である。図１２に示すように、商品情報表示装置３０に対してほぼ真上に蛍光灯４３を配置することにより、蛍光灯４３から照射された光が、価格表示部材３１および冷温表示部材３２の前面パネル２１側を照らすことになる。したがって、前面パネル２１の後面に位置する価格表示部３１ａおよび冷表示部３２ａまたは温表示部３２ｂを明るく表示することができる。
【００３４】
上記のように構成した自動販売機の商品情報表示装置によれば、冷表示部３２ａおよび温表示部３２ｂを備えた冷温表示部材３２と複数の価格表示部３１ａを備えた価格表示部材３１とを個別に設けるため、冷温表示部材３２および価格表示部材３１を周方向へ長くしなくとも、冷温表示と価格表示部３１ａとの組合せが択一的に複数表示可能になる。これにより、たとえば、価格表示部３１ａに変更が発生した場合、表示変更部材を必要とせずに、価格表示部３１ａの変更が可能となる。しかも、可撓性を有するリング状の価格表示部材３１を商品情報表示台３３における前面保持部３４に形成した左スリット３４ｄおよび右スリット３４ｅに挿入して係止する構成としている。このことから、価格表示部材３１を適宜撓ませながら指先などで周方向へ回動することにより、任意商品の価格表示部３１ａが変更可能である。
【００３５】
なお、上述した実施の形態では、缶入り飲料やペットボトル入り飲料などの容器入り飲料を商品として販売する自動販売機を例示しているが、その他の商品を販売する自動販売機にももちろん適用することが可能である。また、上述した実施の形態では、商品価格と商品の冷温状態とを表示するものを例示しているが、その他の商品情報を表示するようにしても良い。
【産業上の利用可能性】
【００３６】
以上のように、本発明にかかる自動販売機の商品情報表示装置は、缶入り飲料やペットボトル入り飲料などの容器入り飲料を販売する自動販売機の商品情報表示装置に有用であり、特に、商品情報の変更対応性に配慮した自動販売機の商品情報表示装置に適している。
【図面の簡単な説明】
【００３７】
【図１】本発明の実施の形態である自動販売機の商品情報表示装置を示す正面図である。
【図２】図１に示した商品情報表示装置を適用した自動販売機の外観斜視図である。
【図３】図１に示した商品情報表示装置を後方側から見た示す斜視図である。
【図４】図１に示した商品情報表示装置の分解斜視図である。
【図５】図１に示した商品情報表示装置に適用する価格表示部材を示す斜視図である。
【図６】図１に示した商品情報表示装置に適用する冷温表示部材を示す斜視図である。
【図７】図１に示した商品情報表示装置に適用する商品情報表示台を示す斜視図である。
【図８】図１に示した商品情報表示装置における冷温表示部材および価格表示部材の商品情報表示台への配設過程を示す斜視図である。
【図９】図１に示した商品情報表示装置における冷温表示部材および価格表示部材の商品情報表示台への配設過程を示す上面図である。
【図１０】図１に示した商品情報表示装置における商品情報表示台の前面パネルに対する配設過程を示す側面図である。
【図１１】図１に示した商品情報表示装置の要部拡大断面平面図である。
【図１２】図１に示した商品情報表示装置の自動販売機への配置を示す側面図である。
【図１３】従来の自動販売機の商品情報表示装置を示す正面図である。
【符号の説明】
【００３８】
１０    本体キャビネット
１１    前面扉
２０    展示スペース
２１    前面パネル
２２    商品銘板
２３    商品選択釦
３０    商品情報表示装置
３１    価格表示部材
３１ａ    価格表示部
３２    冷温表示部材
３２ａ    冷表示部
３２ｂ    温表示部
３２ｃ    価格表示透過部
３３    商品情報表示台
３４    前面保持部
３４ａ    商品選択釦孔
３４ｂ    スリット形成開口
３４ｃ    スリット形成板
３４ｄ    左スリット
３４ｅ    右スリット
３４ｆ    連結部
３５    上方保持部
３６    下方保持部
３７    商品銘板保持溝
４１    連結板
４２    商品銘板押え
【図１】
2008282107.tif 000003
【図２】
2008282107.tif 000004
【図３】
2008282107.tif 000005
【図４】
2008282107.tif 000006
【図５】
2008282107.tif 000007
【図６】
2008282107.tif 000008
【図７】
2008282107.tif 000009
【図８】
2008282107.tif 000010
【図９】
2008282107.tif 000011
【図１０】
2008282107.tif 000012
【図１１】
2008282107.tif 000013
【図１２】
2008282107.tif 000014
【図１３】
2008282107.tif 000015